(57)【要約】【課題】光量調節装置において、装置を径方向に大型化せずに、遮光羽根の枚数を増やす。【解決手段】光量調節装置１９は、固定開口３１ａを有するベース部材３２と、該ベース部材に対して固定開口の回りで回転する駆動部材３２と、固定開口の周方向に複数配置されて固定開口に対向する光量調節開口を形成し、回転する駆動部材によりベース部材に対して回動されて光量調節開口の大きさを変化させる遮光羽根３３，３４とを有する。複数の遮光羽根は、駆動部材の同一方向への回転によって、第１の方向に回動する複数の第１の遮光羽根３３と、第１の方向とは反対の第２の方向に回動する複数の第２の遮光羽根３４とを含む。【選択図】図３
2013029693.tif 000002
【特許請求の範囲】
【請求項１】
固定開口を有するベース部材と、
該ベース部材に対して前記固定開口の回りで回転する駆動部材と、
前記固定開口の周方向に複数配置されて前記固定開口に対向する光量調節開口を形成し、回転する前記駆動部材により前記ベース部材に対して回動されて前記光量調節開口の大きさを変化させる遮光羽根とを有する虹彩型光量調節装置であって、
前記複数の遮光羽根は、前記駆動部材の同一方向への回転によって、第１の方向に回動する複数の第１の遮光羽根と、前記第１の方向とは反対の第２の方向に回動する複数の第２の遮光羽根とを含むことを特徴とする光量調節装置。
【請求項２】
前記複数の第１および第２の遮光羽根のうち前記周方向において互いに隣り合って配置された第１および第２の遮光羽根は、前記ベース部材に設けられた同一の支持軸部の回りで回動することを特徴とする請求項１に記載の光量調節装置。
【請求項３】
前記複数の第１および第２の遮光羽根のうち前記周方向において互いに隣り合って配置された第１および第２の遮光羽根は、前記駆動部材に設けられた同一の駆動ピン部に係合するカム部を有することを特徴とする請求項１又は２に記載の光量調節装置。
【請求項４】
前記第１の遮光羽根と前記第２の遮光羽根は、前記光量調節開口を開放する位置と該光量調節開口を全閉する位置との間で互いに同じ角速度で回動することを特徴とする請求項１から３のいずれか１項に記載の光量調節装置。
【請求項５】
前記光量調節開口を閉じきる前の位置と該光量調節開口を全閉する位置との間では、前記第１および第２の遮光羽根のうち一方のみが回動することを特徴とする請求項１から４のいずれか１項に記載の光量調節装置。
【請求項６】
請求項１から５のいずれか１項に記載の光量調節装置を含む光学系を有することを特徴とする光学機器。
【発明の詳細な説明】
【技術分野】
【０００１】
本発明は、カメラや交換レンズ等の光学機器に搭載される光量調節装置に関する。
【背景技術】
【０００２】
光量調節装置（絞り）には、ベース部材に形成された固定開口の周囲に多数枚の遮光羽根（絞り羽根）を配置し、固定開口回りで回転する駆動リングによって該絞り羽根をそれぞれ回動させることで絞り開口の大きさを変化させる、いわゆる虹彩絞りがある。従来の虹彩絞りでは、５枚、６枚または８枚の絞り羽根が用いられる場合が多い。特許文献１には、このような虹彩絞りが開示されている。
【０００３】
駆動リングと各絞り羽根には、駆動リングの回転によって該絞り羽根をベース部材に対して回動させるためのカムピンおよびカム溝が形成されている。そして、これら絞り羽根は、駆動リングの同一方向への回転に対して、互いに同じ方向に回動して絞り開口の大きさを変化させる。
【０００４】
このような多数枚の絞り羽根により形成される絞り開口（特に、小絞り開口）は、それよりも少ない枚数の絞り羽根により形成される絞り開口に比べて円形に近い開口形状を有する。このため、点光源からの光を含む画像上に形成されるぼけやゴーストの形状も円形に近くなり、画質の向上に有利である。さらなる画質の向上のために小絞り開口を
より円形に近づけるためには、絞り羽根の枚数を増加させればよい。
【先行技術文献】
【特許文献】
【０００５】
【特許文献１】特開２００２−３１８４０３号公報
【発明の開示】
【発明が解決しようとする課題】
【０００６】
しかしながら、虹彩絞りにおいて単純に絞り羽根の枚数を増やすと、ベース部材や駆動リングの径を大きくして、増加した枚数の絞り羽根の保持や駆動のためのスペースを確保する必要がある。このような装置の大型化を回避するために各絞り羽根の幅を狭くする方法はあるが、これでは小絞り状態等において遮光すべき部分に隙間ができる等の不具合が生じる。このように、装置の径方向での大型化を避けつつ、絞り羽根の枚数を増加させることは困難である。
【０００７】
そこで本発明は、装置を径方向に大型化しなくても、遮光羽根の枚数を増やすことができるようにした光量調節装置を提供する。
【課題を解決するための手段】
【０００８】
本発明の一側面としての光量調節装置（虹彩型光量調節装置）は、固定開口を有するベース部材と、該ベース部材に対して固定開口の回りで回転する駆動部材と、固定開口の周方向に複数配置されて固定開口に対向する光量調節開口を形成し、回転する駆動部材によりベース部材に対して回動されて光量調節開口の大きさを変化させる遮光羽根とを有する。そして、複数の遮光羽根は、駆動部材の同一方向への回転によって、第１の方向に回動する複数の第１の遮光羽根と、第１の方向とは反対の第２の方向に回動する複数の第２の遮光羽根とを含むことを特徴とする。
【発明の効果】
【０００９】
本発明によれば、駆動部材の同一方向への回転によって互いに反対方向に回動する遮光羽根をそれぞれ複数ずつ含むことで、全ての遮光羽根が同じ方向に回動する場合に比べて、装置を径方向に大型化しなくても遮光羽根の枚数を増やすことができる。そして、これにより、容易に小絞り開口の開口形状をより円形に近づけることができる。
【図面の簡単な説明】
【００１０】
【図１】本発明の実施例である虹彩絞りの構成を示す正面図。
【図２】実施例の虹彩絞りを搭載した撮像装置のレンズ鏡筒部の分解斜視図。
【図３】実施例の虹彩絞りの構成を示す分解斜視図。
【図４】実施例の虹彩絞りにおける第１の絞り羽根群の動きを説明する正面図。
【図５】実施例の虹彩絞りにおける第２の絞り羽根群の動きを説明する正面図。
【図６】実施例の虹彩絞りにおける一対の第１および第２の絞り羽根の動きを説明する正面図。
【図７】実施例の虹彩絞りにおける小絞り開口の開口形状を示す拡大図。
【発明を実施するための形態】
【００１１】
以下、本発明の実施例について図面を参照しながら説明する。
【実施例１】
【００１２】
まず図２には、本発明の実施例１である虹彩型光量調節装置しての虹彩絞りを搭載したビデオカメラ等の撮像装置（光学機器）のレンズ鏡筒部の構成を示している。被写体側（以下、前側という）から順に、Ｌ１は固定の第１レンズ群であり、Ｌ２は光軸方向に移動して変倍を行う第２レンズ群である。Ｌ３は光軸に直交する平面内で移動して像振れ補正を行う第３レンズ群である。Ｌ４は光軸方向に移動して焦点調節を行う第４レンズ群である。これら第１〜第４レンズ群Ｌ１〜Ｌ４と、本実施例の虹彩絞り１９とにより撮影光学系が構成される。
【００１３】
１１は第１レンズ群Ｌ１を保持する前玉鏡筒ユニットである。１２は第２レンズ群Ｌ２を保持するズーム移動枠であり、１３は第３レンズ群Ｌ３を光軸に直交する平面内で移動させるシフトユニットである。１４は第４レンズ群Ｌ４を保持するフォーカス移動枠である。１５はＣＣＤセンサやＣＭＯＳセンサ等の光電変換素子である撮像素子（図示せず）を保持する後部鏡筒である。
【００１４】
前玉ユニット１１と後部鏡筒１５は、２本のガイドバー１６，１７の両端を保持している。また、シフトユニット１３の固定部と後部鏡筒１５によりガイドバー１８の両端が保持されている。
【００１５】
ズーム移動枠１２はガイドバー１６，１７により光軸方向に移動可能に支持され、フォーカス移動枠１４はガイドバー１６，１８により光軸方向に移動可能に支持される。
【００１６】
シフトユニット１３の固定部は、後部鏡筒１５に位置決めされて３本のビスにより締め付け固定されている。
【００１７】
虹彩絞り（以下、単に絞りという）１９は、光量調節開口としての絞り開口の大きさ（絞り開口径）を変化させて絞り開口を通過する光量を調節する。本実施例では、絞り１９を、第３レンズ群Ｌ３の直前に配置し、シフトユニット１３の固定部に固定している。
【００１８】
後部鏡筒１５は、前玉鏡筒ユニット１１に対して位置決めされるとともに、３本のビスにより後方から締め付け固定されている。
【００１９】
２０はリードスクリューであり、フォーカス移動枠１４に取り付けられたラック１４ａに噛み合っている。リードスクリュー２０は、その後端部にロータマグネット２０ａが一体回転可能に固定されている。
【００２０】
２１はロータマグネット２０ａを回転させるためのステッピングモータユニットであり、内部のコイルへの通電によりロータマグネット２０ａを回転させ、ラック１４ａを介してフォーカス移動枠１４を光軸方向に移動させる。また、ねじりコイルバネ１４ｂのばね力によって、フォーカス移動枠１４、ガイドバー１６，１８、ラック１４ａおよびリードスクリュー２０間のガタが除去されている。
【００２１】
２２はリードスクリューであり、ズーム移動枠１２に取り付けられたラック１２ａに噛み合っている。リードスクリュー２２は、その後端部にロータマグネット２２ａが一体回転可能に固定されている。
【００２２】
２３はロータマグネット２２ａを回転させるためのステッピングモータユニットであり、内部のコイルへの通電によりロータマグネット２２ａを回転させ、ラック１２ａを介してズーム移動枠１２を光軸方向に移動させる。また、ねじりコイルバネ１２ｂのばね力によって、ズーム移動枠１２、ガイドバー１６，１７、ラック１２ａおよびリードスクリュー２２間のガタが除去されている。
【００２３】
ステッピングモータユニット２１，２３は後部鏡筒１５に、それぞれ２本のビスで固定されている。
【００２４】
２４はフォーカスリセットスイッチであり、フォトインタラプタにより構成される。フォーカスリセットスイッチ２４は、その発光部と受光部との間に、光軸方向に移動するフォーカス移動枠１４に形成された遮光部１４ｃが挿入されることで、フォーカス移動枠１４がフォーカス基準位置に位置したことを検出する。フォーカスリセットスイッチ２４は、基板を介してビスにより後部鏡筒１５に固定される。
【００２５】
２５はズームリセットスイッチであり、フォトインタラプタにより構成される。ズームリセットスイッチ２５は、その発光部と受光部との間に、光軸方向に移動するズーム移動枠１２に形成された遮光部１２ｃが挿入されることで、ズーム移動枠１２がズーム基準位置に位置したことを検出する。ズームリセットスイッチ２５は、基板を介してビスにより前玉鏡筒ユニット１１に固定される。
【００２６】
図３には、絞り１９を分解して示している。３１はベース部材であり、その中央には円形の固定開口３１ａが形成されている。固定開口３１ａの中心は、撮影光学系の光軸上に位置する。また、ベース部材３１における固定開口３１ａの周囲の部分には、その周方向の複数（６）箇所に、支持軸部３１ｂが形成されている。以下の説明において、ベース部材３１（固定開口３１ａ）の周方向を絞り１９における周方向といい、ベース部材３１（固定開口３１ａ）の径方向を絞り１９における径方向という。
【００２７】
３２は羽根駆動リング（駆動部材）であり、ベース部材３１に対して固定開口３１ａの回りで回転可能となるように保持されている。羽根駆動リング３２の周方向複数（６）箇所には、駆動ピン部３２ｂが形成されている。また、羽根駆動リング３２の外周部の周方向一部の範囲には、ギア部３２ａが形成されている。
【００２８】
３３は固定開口３１ａの周方向に複数配置された第１の絞り羽根（第１の遮光羽根）３３ａを含む第１の絞り羽根群である。本実施例では、第１の絞り羽根群３３は、６枚の第１の絞り羽根３３ａを含む。
【００２９】
各第１の絞り羽根３３ａは、ベース部材３１の支持軸部３１ｂが挿入される支持穴３３ｂを有する基端部と、固定開口３１ａに対向する絞り開口を形成するための先端部とを有する。また、各第１の絞り羽根３３ａの基端部と先端部との間の部分には、羽根駆動リング３２の駆動ピン部３２ｂが挿入されてこれと係合するカム溝部（カム部）３３ｃが形成されている。
【００３０】
図４には、光軸方向におけるベース部材３１とは反対側（すなわち前側から）見たときの第１の絞り羽根群３３の配置を示している。各第１の絞り羽根３３ａは、図４（ａ）に示す絞り開口を全開する位置では、前側から見たときの周方向のうち時計回り方向に、その先端部が他の第１の絞り羽根３３ａの基端部の上に重なるように配置されている。図４（ａ）に示す絞り開口（径）を開放絞り開口（径）といい、同図に示す各第１の絞り羽根３３ａの位置または状態を開放位置または開放状態という。
【００３１】
各第１の絞り羽根３３ａは、図４（ａ）に示す開放位置から羽根駆動リング３２が時計回り方向（第１の方向）ＣＷに回転して駆動ピン部３２ｂがカム溝部３３ｃ内を移動することで、支持穴３３ｂに挿入された支持軸部３１ｂを中心として時計回り方向に回動する。これにより、図４（ｂ）に示すように、第１の絞り羽根群３３により形成される絞り開口径が小さくなる。図４（ｂ）に示す絞り開口（径）を小絞り開口（径）といい、同図に示す各第１の絞り羽根３３ａの位置または状態を小絞り位置または小絞り状態という。
【００３２】
また、各第１の絞り羽根３３ａは、羽根駆動リング３２が反時計回り方向に回転して駆動ピン部３２ｂがカム溝部３３ｃ内を移動することで、支持軸部３１ｂを中心として反時計回り方向に回動する。これにより、第１の絞り羽根群３３により形成される絞り開口径が大きくなる（図４（ａ））。
【００３３】
３４は固定開口３１ａの周方向に複数配置された第２の絞り羽根（第２の遮光羽根）３４ａを含む第２の絞り羽根群である。本実施例では、第２の絞り羽根群３４も、６枚の第２の絞り羽根３４ａを含む。
【００３４】
各第２の絞り羽根３４ａは、ベース部材３１の支持軸部３１ｂが挿入される支持穴３４ｂを有する基端部と、固定開口３１ａに対向する絞り開口を形成するための先端部とを有する。また、各第２の絞り羽根３４ａの基端部と先端部との間の部分には、羽根駆動リング３２の駆動ピン部３２ｂが挿入されてこれと係合するカム溝部（カム部）３４ｃが形成されている。
【００３５】
図５には、前側から見たときの第２の絞り羽根群３４の配置を示している。各第２の絞り羽根３４ａは、図５（ａ）に示す絞り開口を全開する位置では、前側から見たときの周方向のうち反時計回り方向（第１の絞り羽根群３３とは逆方向）において、その先端部が他の第２の絞り羽根３４ａの基端部の上に重なるように配置されている。図５（ａ）に示す絞り開口（径）を開放絞り開口（径）といい、同図に示す各第２の絞り羽根３４ａの位置または状態を開放位置または開放状態という。
【００３６】
各第２の絞り羽根３４ａは、図５（ａ）に示す開放位置から羽根駆動リング３２が時計回り方向ＣＷに回転して駆動ピン部３２ｂがカム溝部３４ｃ内を移動することで、支持穴３４ｂに挿入された支持軸部３１ｂを中心に反時計回り方向（第２の方向）に回動する。これにより、図５（ｂ）に示すように、第２の絞り羽根群３４により形成される絞り開口径が小さくなる。図５（ｂ）に示す絞り開口（径）を小絞り開口（径）といい、同図に示す各第２の絞り羽根３４ａの位置または状態を小絞り位置または小絞り状態という。
【００３７】
また、各第２の絞り羽根３４ａは、羽根駆動リング３２が反時計回り方向に回転して駆動ピン部３２ｂがカム溝部３４ｃ内を移動することで、支持軸部３１ｂを中心として時計回り方向に回動する。これにより、第２の絞り羽根群３４により形成される絞り開口径が大きくなる（図５（ａ））。
【００３８】
このように、羽根駆動リング３２の時計回りおよび反時計回り方向における同一方向への回転によって、第１の絞り羽根群３３と第２の絞り羽根群３４は、時計回りおよび反時計回り方向における互いに反対方向に回動して絞り開口径の大きさを変化させる。
【００３９】
なお、第１および第２の絞り羽根群３３，３４のそれぞれの重なりの方向（時計回り方向および反時計回り方向）や回動方向は上記と逆であってもよい。
【００４０】
３５は絞りステッピングモータであり、不図示のビスによりベース部材３１に固定されている。絞りステッピングモータ３５の出力軸には、ピニオンギア３５ａが固定されている。ピニオンギア３５ａは、羽根駆動リング３２のギア部３２ａに噛み合っている。このため、絞りステッピングモータ３５の回転が羽根駆動リング３２に伝達されてこれを回転させる。
【００４１】
絞りステッピングモータ３５の回転は、不図示のＣＰＵ等のコントローラにより制御される。具体的には、コントローラは、撮像素子からの出力信号を用いて生成された映像信号の輝度の変化に応じて絞りステッピングモータ３５の回転を制御し、絞り開口径を変化させる。
【００４２】
３６はベース部材３１とともに、第１および第２の絞り羽根群３３，３４を収容する空間を仕切るためのカバー部材であり、光軸を中心とする固定開口３６ａを有する。カバー部材３６は、不図示のビスによりベース部材３１に固定される。
【００４３】
図１には、第１の絞り羽根群３３および第２の絞り羽根群３４が光軸方向に組み合わされた（重ね合わされた）状態を示している。図１（ａ）は開放状態を、図１（ｂ）は小絞り状態をそれぞれ示している。また、図６には、光軸方向に組み合わされた１枚の第１の絞り羽根３３ａとこれに周方向において隣り合う１枚の第２の絞り羽根３４ａを示している。図６（ａ）は開放状態を、図６（ｂ）は小絞り状態をそれぞれ示している。
【００４４】
図６からよく分かるように、第１の絞り羽根３３ａとこれに反時計回り方向において隣り合う第２の絞り羽根３４ａは、それらの支持穴部３３ｂ，３４ａに、ベース部材３１に形成された同一（共通）の支持軸部３１ｂが挿入されている。また、図６に示した第２の絞り羽根３４ａとこれに反時計回り方向にて隣り合う不図示の第１の絞り羽根３３ａは、それらのカム溝部３４ｃ，３３ｃ（２点鎖線で示す）に、羽根駆動リング３２に形成された同一（共通）の駆動ピン部３２ｂが挿入されている。
【００４５】
このように第１および第２の絞り羽根３３ａ，３４ａに対して共通の支持軸部３１ｂを用いることで、共通の支持軸部を用いない場合に比べて、駆動ピン部３２ｂが係合する第１および第２の絞り羽根３３ａ，３４ａのカム溝部３３ｃ，３４ｃの設計が容易になる。また、第１および第２の絞り羽根３３ａ，３４ａのカム溝部３３ｃ，３４ｃに共通の駆動ピン部３２ｂを係合させることで、一方の絞り羽根に他方の絞り羽根のカム溝部に係合する駆動ピン部に対する逃げ形状（長穴等）を形成する必要をなくすることができる。このため、各絞り羽根の大型化や形状の複雑化を回避することができ、限られた径方向のスペース内に多数の（１２枚もの）絞り羽根を配置することができる。
【００４６】
なお、本実施例では、支持軸部３１ｂおよび駆動ピン部３２ｂがそれぞれ、一定の径を有する単純な円筒形状に形成されている。しかし、支持軸部３１ｂおよび駆動ピン部３２ｂのそれぞれを、第１の絞り羽根３３ａに挿入される部分の径と第２の絞り羽根３４ａに挿入される部分の径とを互いに異ならせた段付き円筒形状に形成してもよい。あるいは、支持軸部３１ｂおよび駆動ピン部３２ｂのそれぞれにおいて、第１の絞り羽根３３ａに挿入される部分と第２の絞り羽根３４ａに挿入される部分とを互いに偏心させてもよい。これらの場合も、支持軸部３１ｂおよび駆動ピン部３２ｂがそれぞれ一体のものとして形成されていることに違いはないので、第１および第２の絞り羽根３３ａ，３４ａに対して共通（同一）であると言える。
【００４７】
図６に示すように、前述した通り、第１および第２の絞り羽根３３ａ，３４ａは、時計回り方向ＣＷおよび反時計回り方向ＣＣＷにおいて、羽根駆動リング３２の同一方向の回転に対して、支持軸部３１ｂ回りで互いに反対方向に回動する。
【００４８】
本実施例では、第１および第２の絞り羽根３３ａ，３４ａは、開放位置と絞り開口を全閉する全閉位置との間で互いに同じ角速度で回動する。つまり、羽根駆動リング３２の回転速度および第１および第２の絞り羽根３３ａ，３４ａの回動の角速度は被写体輝度の変化速度に応じて変化するが、いずれの場合でも第１および第２の絞り羽根３３ａ，３４ａの相互間では回動の角速度は同じである。
【００４９】
そして、図４（ｂ）と図５（ｂ）に示す第１および第２の絞り羽根群３３，３４がそれぞれ単独で形成する小絞り開口形状は六角形に近いが、図１（ｂ）に示すように第１および第２の絞り羽根群３３，３４を組み合せることで円形に近い小絞り開口形状が得られる。図７には、その円形に近い１２角形の開口形状（１２角形の各辺が外側に向かって凸の円弧として形成された開口形状）を有する小絞り開口を拡大して示している。
【００５０】
このように、本実施例は、羽根駆動リング３２の同一方向への回転によって互いに反対方向に回動する絞り羽根３３ａ，３３ｂをそれぞれ複数ずつ含む。これにより、全ての絞り羽根が同じ方向に回動する場合に比べて、絞り１９を径方向に大型化しなくても絞り羽根３３ａ，３３ｂの枚数を増やすことができる。そして、これにより、容易に小絞り開口の開口形状をより円形に近づけることができ、良好な画質の撮影画像の取得に有効である。
【００５１】
また、本実施例では、ベース部材３１の固定開口３１ａと、第１および第２の絞り羽根３３ａ，３４ａの回動中心となる支持軸部３１ｂと、第１および第２の絞り羽根３３ａ，３４ａを駆動する駆動ピン部３２ｂとが、径方向において狭い範囲内に配置されている。これは、絞り１９の径方向の大きさをできるだけ小さくするためである。このため、第１および第２の絞り羽根３３ａ，３４ａのそれぞれの幅を大きくすることができない。このため、図４（ｂ）と図５（ｂ）に示す小絞り状態において、第１および第２の絞り羽根群３３，３４により形成される絞り開口以外の部分（カム溝部３３ｃ，３４ｃ）が固定開口３１ａに対向する位置まで入り込み、その隙間から光が漏れるおそれがある。光の漏れがあると、良好な光量調節ができない。
【００５２】
しかし本実施例では、第１および第２の絞り羽根３３ａ，３４ａを羽根駆動リング３２の同一方向回転に対して互いに反対方向に回動させることで、小絞り状態において第１および第２の絞り羽根群３３，３４の一方にできる隙間を他方によって覆うことができる。つまり、本実施例によれば、絞り１９の径方向の小型化のために第１および第２の絞り羽根３３ａ，３４ａの幅が狭くても、小絞り状態にて絞り開口以外の隙間の発生を防ぐことができ、良好な光量調節を行うことができる。
【００５３】
また、本実施例では、図７に示したように、円形に近い多角形状の小絞り開口を形成する全１２枚の第１および第２の絞り羽根群３３，３４が、それぞれ（多角形の辺の数／２）に相当する６枚の絞り羽根により構成されている。これにより、全ての絞り羽根が同じ方向に回動する（同じ方向に重ねられている）場合に比べて、小絞り状態において各絞り羽根のうち小絞り開口を形成する部分の重なり合いによる絞り羽根の光軸方向への変形（盛り上がり）を抑えることができる。この結果、絞り１９の光軸方向の厚みを小さくすることが可能である。
【００５４】
なお、本実施例では、開放位置と全閉位置との間で常に第１および第２の絞り羽根群３３，３４がともに回動する。しかし、小絞り位置（絞り開口を閉じきる前の位置）と全閉位置との間で、第１および第２の絞り羽根群３３，３４のうち一方のみを回動させ、他方を停止させておくようにしてもよい。これにより、上述した絞り羽根のうち小絞り開口を形成する部分の重なり合いによる変形が生じにくくなり、絞り１９の光軸方向の厚みを小さくすることが可能である。
【００５５】
上記実施例では、第１および第２の絞り羽根群の枚数がそれぞれ６枚である場合について説明したが、それぞれの絞り羽根群の枚数が、４枚や５枚等、他の枚数であってもよい。  また、上記実施例では、第１および第２の絞り羽根群の枚数が互いに同じである（第１および第２の絞り羽根が対をなす）場合について説明したが、これらの枚数は互いに異なっていてもよい。例えば、第１の絞り羽根群の枚数が８枚で、第２の絞り羽根群の枚数が４枚であってもよい。
【００５６】
上記実施例では、周方向において隣り合って配置された第１および第２の絞り羽根が地板に設けられた同一の支持軸部の回りで回動する場合について説明した。また、周方向にて隣り合って配置された第１および第２の絞り羽根が、駆動リングに設けられた同一の駆動ピン部に係合するカム溝部を有する場合について説明した。また、上記実施例では、第１および第２の絞り羽根が、開放位置と全閉位置との間で互いに同じ角速度で回動する場合について説明した。しかしながら、これらの特徴は、必ずしも有するべき特徴ではなく、必要に応じて選択的に付与されればよい。
【００５７】
さらに、上記実施例では、絞り１９を搭載した撮影光学系一体型の撮像装置について説明したが、他の実施例として、絞り１９を交換レンズに搭載してもよい。
【００５８】
以上説明した各実施例は代表的な例にすぎず、本発明の実施に際しては、各実施例に対して種々の変形や変更が可能である。
【産業上の利用可能性】
【００５９】
良好な画質の撮影画像の取得に有効な光量調節装置を提供できる。
【符号の説明】
【００６０】
３１  ベース部材
３１ａ  固定開口
３２  羽根駆動リング
３３  第１の絞り羽根群
３４  第２の絞り羽根群
【図１】
2013029693.tif 000003
【図２】
2013029693.tif 000004
【図３】
2013029693.tif 000005
【図４】
2013029693.tif 000006
【図５】
2013029693.tif 000007
【図６】
2013029693.tif 000008
【図７】
2013029693.tif 000009